(57)【特許請求の範囲】
【請求項１】
金銭処理装置内部から紙幣を回収するために装置本体に対して着脱可能な紙幣回収庫において、
前記装置本体の紙幣搬送路に接続され、前記装置本体から回収すべき紙幣を受け入れる開口部と、
前記開口部とは別に前記紙幣を回収庫内部から正規に取り出すために設けられた施錠可能な回収扉と、
前記開口部において前記紙幣とその表裏面で接触することによって縦皺を形成させるように交互に突出形成され、前記紙幣の抜取りを防止する抜取り防止部材と、
を備え、
前記抜取り防止部材は、前記開口部の上下ガイド部に前記紙幣の搬送方向に対して直交して設けられ、それぞれ交互に離間した位置から前記開口部に突出するとともに、前記上下ガイド部それぞれの突起位置が前記搬送方向にずらして形成されたことを特徴とする紙幣回収庫。
【請求項２】
前記抜取り防止部材は、前記開口部の上下ガイド部に前記紙幣の搬送方向に対して直交して設けられ、それぞれ交互に離間した位置から前記開口部に突出する３本以上の突起部を有していることを特徴とする請求項１記載の紙幣回収庫。
【請求項３】
前記開口部は、さらに前記紙幣搬送路を経由して前記装置本体から回収される紙幣の表裏面に接触して、前記紙幣を前記回収庫内部に搬入するローラを備えたことを特徴とする請求項１記載の紙幣回収庫。
【請求項４】
前記開口部は、前記紙幣の長手方向に対応する幅を有するものであることを特徴とする請求項１記載の紙幣回収庫。
【請求項５】
前記回収庫内部に、
回収された紙幣を載せて上下動するステージと、
前記ステージを上方に引き上げ付勢するばね機構と、
前記ステージ上で前記紙幣を整列して積層する押さえ板と、
を備えたことを特徴とする請求項１記載の紙幣回収庫。
【請求項６】
装置本体に対して着脱可能な前記請求項１乃至５のいずれかの紙幣回収庫を備えた金銭処理装置において、
前記装置本体は、
前記紙幣回収庫を前記装置本体に装着された状態に拘束するための第１の施錠部を備え、
前記紙幣回収庫は、
前記装置本体の紙幣搬送路に接続され、前記装置本体から回収すべき紙幣を受け入れる開口部と、
前記開口部とは別に前記紙幣を回収庫内部から正規に取り出すために設けられた施錠可能な回収扉と、
前記開口部において前記紙幣とその表裏面で接触するように突出形成され、前記紙幣の抜取りを防止する抜取り防止部材と、
前記回収扉を開閉するための第２の施錠部と、
を備えたことを特徴とする金銭処理装置。
【発明の詳細な説明】
【技術分野】
【０００１】
本発明は、金銭処理装置本体に対して着脱可能な紙幣回収庫および金銭処理装置に関し、とくにスーパーマーケットやガソリンスタンドなどの流通分野において、ＰＯＳ（Point Of Sales）レジスタ端末などと接続して使用され、硬貨や紙幣を入出金処理する小型の金銭処理装置、および金銭処理装置本体に収納された紙幣を回収するための紙幣回収庫に関する。
【背景技術】
【０００２】
店舗レジなどに使用されている金銭処理装置において、ＰＯＳレジスタ端末と接続されたキャッシュレジスタが普及して、客との現金受け渡し業務の合理化が進められている。また、最近の金銭処理装置では、ＰＯＳレジスタ端末へ入力された金銭情報に応じて、自動的に硬貨や紙幣を入出金処理する、いわゆる釣銭機も開発されている。
【０００３】
このような金銭処理装置では、金銭の払い出し作業と収納作業を自動化することで、現金を取り扱うレジ担当者の負担軽減が可能となる。また、店舗での精算業務の効率を上げ、違算を撲滅するなどの目的でも導入されている。さらに、受け取った金銭を装置本体内に安全に収納できるとともに、釣銭として必要な金銭のみを払い出すことができるため、余分な人手を介在させることなしに金銭回収が可能であるなど、セキュリティの面からも有利になっている。
【０００４】
ところで、一般に金銭処理装置の収納部における金銭収納枚数は限られているから、いずれは金銭を入金できない状態となって、レジスタ機能が停止するに至る。したがって、とくに紙幣の入出金処理を行う処理機構部を小型に構成しようとする場合には、その収納部が満杯になる前に、収納された紙幣を回収する必要があり、そのために紙幣回収庫が備えられている。
【０００５】
図６は、従来の金銭処理装置の正面構成を示す図である。釣銭機など金銭処理装置（以下、装置本体１という。）の正面側には、複数枚の紙幣を一括して投入可能な紙幣挿入口２、釣銭紙幣などを出金する紙幣出金口３とともに、カセット形態の紙幣回収庫（以下、紙幣カセット４という。）が着脱自在に設けられている。
【０００６】
ここで、紙幣挿入口２に投入された紙幣は、１枚ずつ分離して装置本体１の内部に取り込まれ、それらの入庫紙幣を繰り出すための分離部から搬送路に送出される。この搬送路には、紙幣の金種、真贋を判別する鑑別部が設けられ、搬送途中の紙幣を判定する。そして、正券は搬送路を経由して複数の収納庫に金種別に収納され、偽券などは紙幣出金口３に放出される。上述した紙幣カセット４は、装置本体１内の複数の収納庫に収納された紙幣を適宜に回収するために設けられるものであって、装置本体１に設けられた錠５が施錠され、あるいは開錠されることにより、装置本体１とは着脱可能に構成されている。
【０００７】
図７は、紙幣カセットと装置本体の一部分を示す側面断面図である。紙幣カセット４は、内部から紙幣を取り出すための回収扉６を備え、この回収扉６を開閉するための錠７が装置本体１の正面側から操作可能な位置に設けられている。また、紙幣カセット４の背面には、装置本体１の搬送路８から送出された紙幣Ｐを受け入れる開口部４ａが形成され、紙幣カセット４の内部には、紙幣Ｐを押さえる押さえ板４ｂ、および回収された紙幣Ｐが満杯かどうかを検知する満杯検知部（図示せず）などを備えている。
【０００８】
今、紙幣カセット４内に回収された紙幣Ｐが満杯になって満杯検知部が動作したとき、係員は装置本体１の錠５を開錠して、装置本体１から紙幣カセット４を取り出す。そして、紙幣カセット４に設けられた錠７を所定の鍵で開錠することにより回収扉６を開け、紙幣カセット４内の紙幣Ｐを回収して、店舗内の別の金庫などに収納して保管する。こうして空になった紙幣カセット４は、再び装置本体１に装着されるが、その際に回収扉６を閉じて錠７を施錠し、さらに紙幣カセット４を装置本体１に装着してから錠５を施錠することによって、紙幣カセット４の装着が完了する。
【０００９】
こうした紙幣カセット４は、回収扉６以外に開口部４ａが形成されていることから、それが装置本体１から取り出された状態では、開口部４ａから不正に紙幣が抜取られるおそれがある。そこで、従来から次に説明するようなシャッタ機構などを設けて、不正な抜取りを防止している。
【００１０】
図８は、装置本体に装着した状態の紙幣カセットを示す側面断面図である。
図８には、紙幣カセット４が装置本体に装着されることで、開口部４ａを覆っていたシャッタ４１が軸ピン４２回りに回動した状態を示している。シャッタ４１は、その基部を構成する転動ベース４１ａが軸ピン４２によって紙幣カセット４に回動可能に取り付けられている。転動ベース４１ａの軸ピン４２から離間した位置には、ピン４３によってリンク４４の一端が軸支されている。リンク４４は、紙幣カセット４の両側面に一対設けられ、シャッタ４１とは反対方向に延長形成されており、このリンク４４の他端には、スライドアーム４５の一端がピン４６によって連結されている。スライドアーム４５は、その中間位置にスロット４５ａが形成され、他端にはベースローラ４７が回動可能に取り付けられている。固定ピン４８は、紙幣カセット４の側面に固定されるもので、これがスライドアーム４５のスロット４５ａと嵌合して、スライドアーム４５の移動を規制している。５０は装置本体１に内蔵されたシャッタ開放用の突起部である。
【００１１】
ここで、紙幣カセット４が装置本体の所定位置に装着されると、突起部５０がベースローラ４７と接触してスライドアーム４５を矢印Ａ方向にスライドさせる。これにより、リンク４４は矢印Ｂ方向に移動するから、このリンク４４を介してシャッタ４１が転動ベース４１ａとともに開方向に回転する。
【００１２】
図９は、装置本体から取り出された紙幣カセットのシャッタが閉じた状態を示す側面断面図である。
紙幣カセット４内の紙幣を回収する際に、紙幣カセット４が装置本体１から取り外されると、スライドアーム４５が矢印Ｃ方向にスライドする。これにより、リンク４４が矢印Ｄ方向に移動するから、シャッタ４１はリンク４４を介して転動ベース４１ａとともに閉方向に回転して、開口部４ａがシャッタ４１によって閉鎖される。
【００１３】
特許文献１には、装置本体との間で紙幣の受け渡しを行うための第一開口部（図７〜９の開口部４ａに相当する。）を、シャッタによって開閉する金庫を備えた紙幣入出金装置の発明が開示されている。この発明によれば、シャッタが開いた状態で金庫が装置本体から取り出されることを防止するように、シャッタロック機構を設けることによって、金庫運搬時におけるセキュリティを高めるようにしている。
【特許文献１】特開２００２−２７９４８４号公報（段落番号［００４１］〜［００４５］及び図１６〜２０）
【発明の開示】
【発明が解決しようとする課題】
【００１４】
このように、従来の紙幣カセット４では装置本体１から取り出された状態になるとシャッタ４１が開口部４ａを塞いで、紙幣カセット４から紙幣が不正に取り出されることを防止するようにしていた。しかし、運搬時のためだけに開口部４ａをシャッタ４１などによって覆う構成のものでは、専用のシャッタ４１とその開閉機構を紙幣カセット４に設けることになるため、その部品点数が増加する。したがって、紙幣カセット４の紙幣回収を行う際のセキュリティを確保するためのコストが高くなるという問題があった。
【００１５】
本発明はこのような点に鑑みてなされたものであり、部品点数を増やすことなしに紙幣回収時のセキュリティを確保できる紙幣回収庫および金銭処理装置を提供することを目的とする。
【課題を解決するための手段】
【００１６】
本発明では、上記問題を解決するために、金銭処理装置内部から紙幣を回収するために装置本体に対して着脱可能な紙幣回収庫が提供される。この紙幣回収庫は、前記装置本体の紙幣搬送路に接続され、前記装置本体から回収すべき紙幣を受け入れる開口部と、前記開口部とは別に前記紙幣を回収庫内部から正規に取り出すために設けられた施錠可能な回収扉と、前記開口部において前記紙幣とその表裏面で接触することによって縦皺を形成させるように交互に突出形成され、前記紙幣の抜取りを防止する抜取り防止部材と、を備え、前記抜取り防止部材は、前記開口部の上下ガイド部に前記紙幣の搬送方向に対して直交して設けられ、それぞれ交互に離間した位置から前記開口部に突出するとともに、前記上下ガイド部それぞれの突起位置が前記搬送方向にずらして形成される。
【００１７】
この紙幣回収庫では、抜取り防止部材が開口部において紙幣とその表裏面で接触するように突出形成され、紙幣の抜取りを防止するから、開口部で回収すべき紙幣を受け入れた後は、紙幣を正規に取り出すために設けられた回収扉を開錠しなければ、回収庫内部から紙幣を取り出すことができない。
【００１８】
また、本発明では、装置本体に対して着脱可能な上記の紙幣回収庫を備えた金銭処理装置が提供される。この金銭処理装置本体は、前記紙幣回収庫を前記装置本体に装着された状態に拘束するための第１の施錠部を備え、前記紙幣回収庫は、前記装置本体の紙幣搬送路に接続され、前記装置本体から回収すべき紙幣を受け入れる開口部と、前記開口部とは別に前記紙幣を回収庫内部から正規に取り出すために設けられた施錠可能な回収扉と、前記開口部において前記紙幣とその表裏面で接触するように突出形成され、前記紙幣の抜取りを防止する抜取り防止部材と、前記回収扉を開閉するための第２の施錠部と、から構成される。
【発明の効果】
【００１９】
本発明によれば、金銭処理装置本体から回収すべき紙幣を受け入れるための開口部に抜取り防止部材を配置することによって、紙幣回収庫に専用のシャッタを設けることなしに紙幣の不正な取り出しを防止できるから、低コストな紙幣回収庫を提供できる。
【発明を実施するための最良の形態】
【００２０】
以下、図面を参照してこの発明の実施の形態について説明する。図１は、実施の形態に係る紙幣カセットの側面構成を示す図である。
図１の紙幣カセット４は、金銭処理装置内部から紙幣を回収する目的で、その内部に複数枚の紙幣Ｐを集積保持するものであって、硬貨を処理する硬貨処理部を備えた釣銭機などでは、同様の硬貨カセットとともに運用される。紙幣カセット４が着脱される金銭処理装置は、図６に示す従来の正面構成と同様に構成されている。すなわち、装置本体１に設けられた錠５（第１の施錠部）が施錠され、あるいは開錠されることにより、紙幣カセット４が装置本体１から着脱可能に構成されている。紙幣カセット４は、紙幣を内部から取り出すための回収扉６を備え、この回収扉６を開閉するための錠７（第２の施錠部）が装置本体１の正面（図１の左側）から操作可能な位置に設けられている。
【００２１】
紙幣カセット４は、その背面に装置本体１の搬送路（図７参照）から送出された紙幣Ｐを受け入れる開口部４ａを備えている。この開口部４ａは、上ガイド部１１と下ガイド部を構成するベース１２に挟まれて構成され、上下ガイド部１１，１２間には、回収される紙幣Ｐの表裏面に接触するように、搬送ローラ１３、従動ローラ１４からなる紙幣搬入手段が設けられている。また、開口部４ａには、搬入される紙幣とその表裏面で接触する複数の突起部１５，１６が、内部の紙幣Ｐの抜取りを防止する抜取り防止部材として突出形成されている。
【００２２】
突起部１５は、紙幣Ｐの搬送方向に対して直交するように、開口部４ａの上ガイド部１１からベース１２に向かって突出して設けられ、ベース１２側の突起部１６は、突起部１５に対して搬送ローラ１３を挟む搬入方向に離間した位置から、上ガイド部１１に向かって突出して設けられている。紙幣カセット４の内部には、紙幣Ｐを整列して積層するための押さえ板４ｂ、回収された紙幣Ｐを載せて上下動するステージ４ｃ、このステージ４ｃを上方に引き上げ付勢するばね機構４ｄ、および回収された紙幣Ｐが満杯かどうかを検知する満杯検知部（図示せず）などを備えている。
【００２３】
つぎに、上ガイド部１１とベース１２に挟まれた開口部４ａを紙幣カセット４ａの内部から見た構成について説明する。
図２は、図１のII−II線に沿って、紙幣受入れ用の開口部の構成を示す背面矢視図である。
【００２４】
開口部４ａは、上ガイド部１１とベース１２との間で、そこから搬入される紙幣Ｐの長手方向に対応する幅で形成されている。２つの搬送ローラ１３ａ，１３ｂは、搬送軸１３１の互いに所定間隔だけ離間する位置に設けられている。そして、この搬送軸１３１が開口部４ａの左右方向で所定の高さに水平保持され、端部のワンウェイギヤ１３２によって所定の回転方向に駆動されるように構成されている。これらの搬送ローラ１３ａ，１３ｂと対向する上ガイド部１１側には、従動ローラ軸１４１に従動ローラ１４ａ，１４ｂが配置されている。従動ローラ軸１４１には、従動ローラ１４ａ，１４ｂを搬送軸１３１方向に押圧するための従動ローラばね１８ａ，１８ｂが設けられている。
【００２５】
したがって、左右２組の搬送ローラ１３ａ，１３ｂ、従動ローラ１４ａ，１４ｂにより紙幣Ｐの表裏面が挟まれた状態で、釣銭機などの金銭処理装置本体から紙幣カセット４内に搬入される。また、搬送軸１３１には搬送ローラ１３ａ，１３ｂの左右側で、それぞれ羽根車１７ａ，１７ｂと１７ｃ，１７ｄが同軸回転するように設けられていて、これら４枚の羽根車１７ａ〜１７ｄが搬入される紙幣Ｐの端部を叩くように紙幣搬入手段を構成している。
【００２６】
ここで、開口部４ａの上ガイド部１１側からは例えば４本の突起部１５ａ〜１５ｄが突出し、ベース１２側からは、例えば３本の突起部１６ａ〜１６ｃが突出している。そして、上ガイド部１１側からの突起部１５ａ〜１５ｄのうち、突起部１５ａと１５ｂは左側のローラ１３ａ，１４ａを挟むように配置され、突起部１５ｃと１５ｄが右側のローラ１３ｂ，１４ｂを挟むように配置されている。また、ベース１２側からの突起部１６ａ〜１６ｃは、いずれも上ガイド部１１側からの突起部１５ａ〜１５ｄの先端位置より上方に突出するように延長されている。そして、突起部１６ａは突起部１５ａとの間で羽根車１７ａを挟むように配置され、突起部１６ｃは突起部１５ｄとの間で羽根車１７ｄを挟むように配置され、さらに中央の突起部１６ｂは上ガイド部１１側からの突起部１５ｂと１５ｃに挟まれた位置に配置される。
【００２７】
図３は、紙幣カセットの開口部における紙幣受入れ状態を示す背面矢視図である。図４は、紙幣カセットに受け入れられた紙幣の変形状態を示す斜視図である。
紙幣カセット４へ搬入される紙幣Ｐは、その表裏面で開口部４ａに形成された突起部１５ａ〜１５ｄ、１６ａ〜１６ｃと接触するから、搬送ローラ１３ａ，１３ｂ、従動ローラ１４ａ，１４ｂ、および羽根車１７ａ〜１７ｄなどによってステージ４ｃ上に送り込まれる際に、挿入方向に縦皺が複数形成される。すなわち、紙幣カセットに受け入れられた紙幣Ｐは、その縦方向に複数の筋目が付く。これにより、紙幣Ｐにはその挿入方向に対して腰を付けることになって、搬入に際して紙幣Ｐをステージ４ｃ上でまっすぐに着地させることが可能になる。
【００２８】
なお、これら搬送ローラ１３ａ，１３ｂ、従動ローラ１４ａ，１４ｂなどの紙幣搬入手段は、図７に示す従来装置と同様、装置本体側に設けられていてもよい。
つぎに、上述した紙幣カセットを備えた金銭処理装置をスーパーマーケットなど取引が頻繁に行われる店舗レジに設置して運用をした場合の、回収紙幣の抜取り防止等、金銭回収時のセキュリティについて説明する。
【００２９】
取引の多い店舗レジにおいては、金銭処理装置内に収納される紙幣が多くなり、営業時間中であっても紙幣カセット４に収納された紙幣の満杯検知が比較的頻繁に発生する。そのような場合、係員は金銭処理装置による精算業務を一時的に停止状態にして、内部の紙幣を取り出す必要があった。
【００３０】
こうした頻繁な動作停止を回避するためには、錠５を開錠して紙幣カセット４を本体装置１から引き抜いて、そこに収納されている紙幣を回収することになる。一般的に行われている紙幣回収方法では、紙幣カセット４を装置本体１から取り出した後、店舗のバックヤードなどに一旦運搬して、バックヤードで紙幣カセット４の錠７を開錠し、回収扉６を開いてそこから紙幣を回収し、空になった紙幣カセット４を再度装置本体１に装着する手順が採用される。とくに、深夜営業を行う店舗などにおいては、釣銭として必要とする額以上の現金は、防犯上できるだけ金銭処理装置から回収し、安全な金庫に収納しておくことが望ましい。その場合、紙幣カセット４を装置本体１に装着したままで回収扉６を開放し、その内部の紙幣Ｐを回収することもできる。
【００３１】
図５は、紙幣カセットの開口部における紙幣抜取り阻止状態を示す図である。
ここでは、紙幣Ｐが満杯状態になった紙幣カセット４を、その開口部４ａの外側から見た状態を示している。なお、図５では、搬送ローラ１３ａ，１３ｂ、従動ローラ１４ａ，１４ｂ、および羽根車１７ａ〜１７ｄなどの搬送機構を省略している。
【００３２】
上述した紙幣カセット４では、突起部１５ａ〜１５ｄ、１６ａ〜１６ｃが障害となって、一旦収納された紙幣Ｐは開口部４ａから取り出すことができない。したがって、従来装置のように別部品としてシャッタを設けるなどして、開口部４ａを開閉操作する必要がなくなり、紙幣カセット４のコストの低減が可能となる。しかも、頻繁な紙幣回収手順が繰り返されても不正な抜取り行為を確実に防止して、金銭処理業務における安全性を低コストで保持できるものとなる。
【００３３】
このように、紙幣カセット４の開口部４ａには、その上ガイド部１１とベース１２に紙幣Ｐの搬送方向に対して直交して突起部１５ａ〜１５ｄ、１６ａ〜１６ｃが設けられ、それぞれ交互に離間した位置から開口部４ａに突出するように配置されている。しかも、それぞれの突起位置が紙幣Ｐの搬送方向にずらして形成されている。さらに、装置本体１の紙幣搬送路を経由して回収される紙幣Ｐの表裏面に接触して、紙幣カセット４の内部に搬入するための搬送手段を備えている。
【００３４】
したがって、この実施の形態の金銭処理装置によれば、紙幣カセットに専用のシャッタを設けなくても、金銭回収時のセキュリティを確保できる。また、部品点数を増やすことなしに低コストの紙幣カセットが提供できるから、紙幣の入出金処理を行う金銭処理装置を小型に構成する上で都合がよい。さらに、搬送された紙幣に腰を付けることで、紙幣カセット内での紙幣搬入時の折れ曲がりを防止できるから、内部に集積された紙幣との衝突を回避して、紙幣詰まりを確実になくすことができる。
【図面の簡単な説明】
【００３５】
【図１】実施の形態に係る紙幣カセットの側面構成を示す図である。
【図２】図１のII−II線に沿って、紙幣受入れ用の開口部の構成を示す背面矢視図である。
【図３】紙幣カセットの開口部における紙幣受入れ状態を示す背面矢視図である。
【図４】紙幣カセットに受け入れられた紙幣の変形状態を示す斜視図である。
【図５】紙幣カセットの開口部における紙幣抜取り阻止状態を示す図である。
【図６】従来の金銭処理装置の正面構成を示す図である。
【図７】紙幣カセットと装置本体の一部分を示す側面断面図である。
【図８】装置本体に装着した状態の紙幣カセットを示す側面断面図である。
【図９】装置本体から取り出された紙幣カセットのシャッタが閉じた状態を示す側面断面図である。
【符号の説明】
【００３６】
４  紙幣カセット
４ａ  開口部
４ｂ  押さえ板
４ｃ  ステージ
４ｄ  ばね機構
５  錠（第１の施錠部）
６  回収扉
７  錠（第２の施錠部）
１１  上ガイド部
１２  ベース（下ガイド部）
１３，１３ａ，１３ｂ  搬送ローラ
１４，１４ａ，１４ｂ  従動ローラ
１５，１５ａ〜１５ｄ，１６，１６ａ〜１６ｃ  突起部
１７ａ〜１７ｄ  羽根車
１８ａ，１８ｂ  従動ローラばね
【図１】
0005245436.tif 000002
【図２】
0005245436.tif 000003
【図３】
0005245436.tif 000004
【図４】
0005245436.tif 000005
【図５】
0005245436.tif 000006
【図６】
0005245436.tif 000007
【図７】
0005245436.tif 000008
【図８】
0005245436.tif 000009
【図９】
0005245436.tif 000010